(57)【要約】【課題】使用された乗車券、例えば定期券、キップ、プリペイドカード、の種類に関係なく、自動改札機の通路を通行した利用者に情報を配信することができる情報配信システムを提供する。【解決手段】自動改札機１１は、乗車券８、および会員カード７の２枚の券が本体に投入されると、投入された乗車券８に記憶されている乗車券情報に基づいて自動改札機１１の通路の通行可否を判断する。自動改札機１１は、通路の通行可と判断した場合、情報配信装置２１へ会員カード７から読み取った識別コードを含む配信要求を出力する。情報配信装置２１は、配信要求を受信すると、該配信要求に含まれている識別コードで識別される利用者５に配信メールを送信する。【選択図】図１
2004005242.tif 000002
【特許請求の範囲】
【請求項１】
識別コードを含む配信情報の配信要求を受信したとき、該配信要求に含まれている識別コードに対応する配信先に上記配信情報を配信する情報配信装置と、
本体に投入された第１の媒体から通路の通行可否の判断に用いる通行情報を読み取り、本体に投入された第２の媒体から識別コードを読み取る媒体情報読取手段と、
上記媒体情報読取手段が上記第１の媒体から読み取った上記通行情報を用いて、上記通路の通行可否を判断する通行可否判断手段と、
上記情報配信装置へ、上記媒体情報読取手段が上記第２の媒体から読み取った識別コードを含む上記配信要求を出力する配信要求出力手段と、を有する自動改札機と、を備えた情報配信システム。
【請求項２】
本体に投入された第１の媒体から通路の通行可否の判断に用いる通行情報を読み取り、本体に投入された第２の媒体から識別コードを読み取る媒体情報読取手段と、
上記媒体情報読取手段が上記第１の媒体から読み取った上記通行情報を用いて、上記通路の通行可否を判断する通行可否判断手段と、
上記識別コードを含む配信情報の配信要求を受信したとき、該配信要求に含まれている識別コードに対応する配信先に上記配信情報を配信する情報配信装置へ、上記媒体情報読取手段が上記第２の媒体から読み取った識別コードを含む上記配信要求を出力する配信要求出力手段と、を有する自動改札機。
【請求項３】
上記配信要求出力手段は、上記通行可否判断手段における判断結果が上記通路の通行否であったとき、上記情報配信装置への上記配信要求の出力を行わない請求項２に記載の自動改札機。
【請求項４】
上記第１の媒体、または上記第２の媒体の一方が投入されてから、所定時間経過経過する前に他方の媒体が投入されたかどうかを判定する投入判定手段を有し、
上記配信要求出力手段は、上記投入判定手段により一方の媒体が投入されてから、所定時間経過する前に他方の媒体が投入されたと判定した場合に、上記配信要求を出力する請求項２または３に記載の自動改札機。
【発明の詳細な説明】
【０００１】
【発明の属する技術分野】
この発明は、会員登録した利用者に情報を配信する情報配信システム、およびこの情報配信システムに適用される自動改札機に関する。
【０００２】
【従来の技術】
従来、商品、店舗、イベント、地域等に関する情報（以下、配信情報と言う。）を会員登録している利用者（以下、登録者と言う。）に配信する情報配信システムがあった。従来の情報配信システムでは、会員登録時に利用者の属性を示す属性情報（年齢、性別、趣味、嗜好等）や、配信情報の配信先等が情報配信装置に登録される。情報配信装置は、登録者毎に属性情報に基づいて多数の配信情報の中から趣味、嗜好にあった配信情報を抽出し、ここで抽出した配信情報を登録されている配信先に配信していた。
【０００３】
上記配信情報の配信先として、インタネットに接続できる携帯電話機の電子メールアドレス（以下、単にメールアドレスと言う。）を登録し、外出中の登録者に対して居場所に応じた配信情報を配信する情報配信システムが提案されている。この情報配信システムには、駅に設置されている自動改札機を登録者の居場所の検出に利用したシステムがある。この情報配信システムでは、自動改札機の通路を通って、駅構内へ入場、または駅構内から退場した利用者が登録者であれば、入場または退場した駅近辺を該登録者の現在の居場所として検出している。
【０００４】
自動改札機の通路を通った利用者の特定には、定期券が利用されている。定期券には利用者（該定期券の所有者）を識別できる識別コードが記憶されている。自動改札機が本体に投入された定期券から識別コードを読み取る。登録者に配信情報を配信する情報配信装置には、登録者毎に定期券の識別コードが登録されている。自動改札機は、自機の識別コード、定期券の識別コード等を情報配信装置へ出力する。情報配信装置は、自動改札機から送られてきた定期券の識別コードから、自動改札機の通路を通った利用者が登録者であるかどうか、さらに登録者であればその人物を特定する。また、情報配信装置は自動改札機から送られてきた自動改札機の識別コードから該自動改札機が設置されている駅を特定することで、登録者の現在の居場所を検出する。情報配信装置は、上述のようにして登録者、および登録者の現在の居場所を特定すると、該登録者の属性情報および現在の居場所に応じた配信情報を、登録されている携帯電話機のメールアドレスに配信する。
【０００５】
これにより、登録者に対して、該登録者の属性情報だけでなく、現在の居場所に応じた配信情報を配信することができるので、登録者が以後の行動を決定するのに有益な情報の提供が行える。例えば、特開平８−１８５２３号に、上述の情報配信システムが示されている。
【０００６】
【発明が解決しようとする課題】
しかしながら、上記自動改札機を適用した情報配信システムは、上述のように登録者の居場所の検出に定期券を利用していた。自動改札機の通路を通って駅構内に入場したり、駅構内から退場する利用者の中には、定期券ではなく、キップやプリペイドカード等、他の種類の乗車券を使用する者も多い。キップやプリペイドカードには、利用者を識別できる識別コードが記憶されていないので、キップやプリペイドカードで自動改札機の通路を通った利用者を特定することはできない。したがって、キップやプリペイドカードで自動改札機の通路を通る利用者については、上記情報配信システムによるサービスを提供することができないという問題があった。
【０００７】
なお、乗車券として利用可能なプリペイドカードとしては、回数券方式のものや、金額方式のものが実用化されている。
【０００８】
この発明の目的は、自動改札機の通路の通行に使用される第１の媒体、例えば定期券、キップ、プリペイドカード、の種類に関係なく、通路を通行した利用者に配信情報を配信することができる情報配信システム、およびこの情報配信システムに適用される自動改札機を提供することにある。
【０００９】
【課題を解決するための手段】
この発明の情報配信システムは、上記課題を解決するために以下の構成を備えている。
【００１０】
識別コードを含む配信情報の配信要求を受信したとき、該配信要求に含まれている識別コードに対応する配信先に上記配信情報を配信する情報配信装置と、
本体に投入された第１の媒体から通路の通行可否の判断に用いる通行情報を読み取り、本体に投入された第２の媒体から識別コードを読み取る媒体情報読取手段と、
上記媒体情報読取手段が上記第１の媒体から読み取った上記通行情報を用いて、上記通路の通行可否を判断する通行可否判断手段と、
上記情報配信装置へ、上記媒体情報読取手段が上記第２の媒体から読み取った識別コードを含む上記配信要求を出力する配信要求出力手段と、を有する自動改札機と、を備えている。
【００１１】
この構成では、自動改札機の媒体情報読取手段が、装置本体に投入された第１の媒体から通路の通行可否の判断に用いる通行情報を読み取り、また装置本体に投入された第２の媒体から識別コードを読み取る。例えば、この自動改札機が駅に設置されている自動改札機である場合、上記第１の媒体は定期券、キップ、プリペイドカード等であり、上記通行情報は第１の媒体の種類により異なるが、有効期間、有効区間、発行駅、発行金額、利用可能残回数、利用可能残高等、駅構内への入場、または駅構内からの退場可否を判断することができる乗車券情報である。また、第２の媒体は、会員登録を行った利用者（登録者）に発行される、会員カードであり、利用者を特定できる識別コードを記憶している。
【００１２】
自動改札機の通行可否判断手段が、第１の媒体から読み取った通行情報に基づいて通路の通行可否を判断する。例えば、上記乗車券情報に基づいて、利用者の駅構内への入場、または駅構内からの退場可否を判断する。また、配信要求出力手段が、第２の媒体から読み取った識別コードを含む配信情報の配信要求を情報配信装置へ出力する。
【００１３】
情報配信装置は、自動改札機から送られてきた配信要求を受信すると、該配信要求に含まれている識別コードに対応する配信先に配信情報を配信する。情報配信装置には、識別コード毎に配信情報の配信先を対応付けた情報が登録されている。
【００１４】
したがって、会員登録を行った利用者に対して、上記第２の媒体を発行することにより、自動改札機の通路を通行する際に使用する第１の媒体の種類に関係なく、配信情報を配信することができる。例えば、駅に設置されている自動改札機の通路の通行にキップやプリペイドカードを使用した利用者についても、第２の媒体が発行されている登録者であれば配信情報を配信することができ、利用者に対するサービスの向上が図れる。
【００１５】
また、自動改札機の配信要求出力手段は、通行可否判断手段における利用者の通路の通行可否の判断結果が否であれば、情報配信装置への配信要求の送信を行わないように構成するのが好ましい。
【００１６】
例えば、駅に設置されている自動改札機が利用者に対して通路の通行否と判断する原因の多くは、利用者が有効区間外の乗車券や有効期間切れの乗車券等、不適切な乗車券を投入したことであり、この場合利用者は適正な乗車券を入手し、再度自動改札機に今回入手した適正な乗車券を投入して、自動改札機の通路を通行する。
【００１７】
なお、適正な乗車券の入手とは、例えば券売機でキップを購入したり、精算機で精算し、精算券を取得することである。
【００１８】
ここで、自動改札機が通路の通行否と判断したときに情報配信装置へ配信要求を出力する構成であると、通路の通行否と判断された利用者についての配信要求が短時間（数分）の間に２回出力される。このため、この利用者に対して情報配信装置から配信情報が短時間（数分）の間に２回配信され、この２回の配信において同じ配信情報が配信される可能性が高い。利用者は、数分の間に同じ配信情報が２回配信されてくると、煩わしさを感じるだけである。また、情報配信装置の負荷を無駄に増大させることにもなる。
【００１９】
したがって、通行可否判断手段における判断結果が利用者の通路の通行否であったとき、配信要求送信手段による情報配信装置への配信要求の送信を行わない構成にすることで、利用者に対するサービスの低下、および情報配信装置の負荷を無駄に増大させるのを防止できる。
【００２０】
さらに、上記第１の媒体、または上記第２の媒体の一方が投入されてから、所定時間経過経過するまでに他方の媒体が投入されなかった場合に、上記配信要求の出力を中止する。言い換えれば、上記第１の媒体、または上記第２の媒体の一方が投入されてから、所定時間経過経過するまえに他方の媒体が投入された場合に、上記配信要求を出力する。第１の媒体と第２の媒体とを投入した利用者が同一人物である場合、これらの媒体が投入される間隔が比較的短時間であることから、利用者が投入した第１の媒体と、第２の媒体と、を対応付けることができる。また、第１の媒体と第２の媒体とを投入した利用者に対してのみ、配信情報を配信することができる。第２の媒体のみ投入した利用者に配信情報を配信するのを防止できる。
【００２１】
【発明の実施の形態】
以下、この発明の実施形態である自動改札機、および情報配信システムについて説明する。
【００２２】
図１は、この発明の実施形態である情報配信システムの構成を示す図である。この実施形態の情報配信システムには、この発明の実施形態である自動改札機が適用されている。図１において、１は駅であり、２は情報配信センタである。駅１には、自動改札機１１、自動精算機１２、券売機１３等が設置されている。また、自動改札機１１、自動精算機１２、券売機１３は、駅１における乗降客を管理するホスト装置１４に接続されている。ホスト装置１４は、専用線または公衆回線を介して図示していない鉄道会社のサーバ装置に接続されている。情報配信センタ２には、情報配信装置２１が設置されている。駅１に設置されているホスト装置１４、および情報配信センタ２に設置されている情報配信装置２１は、公衆回線網３を介してインタネット４に接続できる。また、ホスト装置１４と情報配信装置２１とは、通信可能に構成されている。ホスト装置１４と情報配信装置２１との通信路は、専用線であってもよいし、公衆回線網３やインタネット４を介した経路であってもよい。
【００２３】
また、図１において、５は利用者であり、６は該利用者５が所有する携帯電話機である。携帯電話機６は、インタネット４に接続する機能を有する。携帯電話機６には、インタネット４を介して電子メールの送受信が行えるようにメールアドレスが付与されている。７は会員カード（この発明で言う第２の媒体）であり、８は乗車券（この発明で言う第１の媒体）である。キップ、定期券、回数券方式のプリペイドカード、金額方式のプリペイドカード、さらには精算機１２で発券された精算券が乗車券８である
利用者５は、会員カード７および乗車券８を所持している。利用者５が会員カード７および乗車券８を自動改札機１１に投入すると、自動改札機１１がその情報を読み取る。自動改札機１１がここで読み取った情報が情報配信センタ２の情報配信装置２１に送信され、情報配信装置２１が利用者５が所有する携帯電話機６に配信情報を配信する。
【００２４】
図２は、情報配信装置２１の構成を示すブロック図である。情報配信装置２１は、本体の動作を制御する制御部２１１と、利用者に配信する配信情報を記憶する配信情報記憶部２１２、利用者毎に識別コードに対応付けて氏名、年齢、性別、趣味、嗜好等の属性情報を記憶する属性情報記憶部２１３と、配信情報を利用者に送信（配信）する送信部２１４と、他の機器から送信されてきた情報を受信する受信部２１５と、を備えている。
【００２５】
配信情報記憶部２１２に記憶されている配信情報は、企業や店舗等の広告、ニュース、天気予報、交通情報等、色々な種類の情報である。情報配信装置２１はインタネット４を介して様々な種類の配信情報を取得し、配信情報記憶部２１２に記憶している。属性情報記憶部２１３には、利用者５毎に利用者５を識別する利用者識別コードと該利用者５の属性を示す属性情報とを対応づけて記憶している。属性情報は、利用者の氏名、年齢、性別、職業、配信を希望する配信情報の種別、配信を希望しない配信情報、列車の時刻表配信の要／不要、列車の遅延案内配信の要／不要、配信情報の送信先（携帯電話機６のメールアドレス）、乗車時の配信希望の有無、降車時の配信希望の有無、主に利用する乗車区間（経由駅を含む）、自宅の電話番号、勤務先の電話番号等である（図３参照）。属性情報記憶部２１３に利用者識別コードが記録されている利用者が、この実施形態の情報配信システムによる配信情報の配信を希望することを登録した登録者であり、該登録者には会員カード７が発行されている。会員カード７は、利用者識別コードを磁気データで記憶した磁気カードである（図４（Ａ）参照）。
【００２６】
情報配信装置２１の配信情報記憶部２１２には、複数の配信情報が記憶されている。配信情報には、配信してもよい利用者５と、配信を禁止する利用者５とを区別するための配信条件が付けられている。この配信条件は、配信情報の提供者である広告主が自由に設定できる。例えば、女性向けの配信情報を提供する場合、配信する利用者６を女性に限定する配信条件を付けて男性に配信されないように設定できる。また、年齢層（２０代、３０代等）や、配信回数等も配信条件として付けることができる。
【００２７】
図５は、配信情報記憶部に記憶されている配信情報の例を示す図である。配信情報記憶部２１２は、配信条件（図５（Ａ）参照）と配信情報（図５（Ｂ）参照）とを対応づけて記憶している。また、配信情報には該配信情報を識別する配信情報番号が与えられている。図５に示す例は、配信情報を配信してもよい利用者を、女性、年齢が２０〜２９歳に制限した配信条件である。また、配信情報の有効期間は２００１年９月１日〜２００１年１０月３１日の期間に限定されている。前記有効期間を過ぎると、この配信情報が利用者５に配信されることはない。配信制限回数は３００回であり、延べ３０１人以上の利用者５に配信されることはない。さらに、配信情報番号はＫ０００１である。
【００２８】
自動改札機１１は、利用者５の駅構内への入場、駅構内からの退場を制限する装置であり、駅１の改札口に設置されている。自動精算機１２は乗り越しした利用者５が駅構内から退場するときに乗り越し分の運賃を精算し、精算券を取得する装置であり、券売機１３はこれから駅構内に入場する利用者５が乗車区間に応じたキップを購入する装置である。券売機１３で発行されるキップには、発券駅、発券金額、有効期間（通常は発券日）等を示す乗車券情報（この発明で言う、通行情報に相当する。）が磁気データで記憶されている（図４（Ｂ）参照）。
【００２９】
なお、上記キップ以外にも定期券、回数券方式のプリペイドカードや、金額方式のプリペイドカード、さらには精算機１２で発券された精算券等が、自動改札機１１に乗車券情報を記憶した媒体（この発明で言う、第１の媒体）として投入される。上記複数種類の乗車券情報を記憶した媒体を、以下総称して乗車券８という。
【００３０】
図６はこの発明の実施形態である自動改札機の構成を示すブロック図であり、図７は同自動改札機の外観を示す図である。
【００３１】
自動改札機１は、本体の動作を制御する制御部１１１と、動作時に利用する情報や、動作時に発生した情報を記憶する記憶部１１２と、現在の時間を計時する計時部１１３と、ホスト装置１４へ情報を出力する送信部１１４と、定期券やキップ等の乗車券８や会員カード７が本体に投入されたことを検出する投入検出部１１５と、本体に投入された乗車券８や会員カード７を搬送する搬送部１１６と、搬送されている乗車券８や会員カード７に記録されている磁気データを読み取る読取部１１７と、利用者６の通行を制限する扉１１８ａを開閉する扉駆動部１１８とを備えている。自動改札機１１は、扉１１８ａを閉じることにより、該自動改札機２１により構成された通路を閉鎖して、利用者５が通路を通行するのを禁止する（利用者５の駅１への入場または駅１からの退場を禁止する）。
【００３２】
自動改札機１１は、通路の入口の右側に乗車券８や会員カード７を投入する投入口１１６ａを備え、出口の右側に本体に投入された乗車券８や会員カード７を放出する放出口１１６ｂを備えている。投入口１１６ａと放出口１１６ｂとの間には、乗車券８や会員カード７を搬送する搬送路１１６ｃが設けられている。また、搬送路１１６ｃの途中には、投入口１１６ａに投入されたキップや精算券を回収ボックス（不図示）に搬送するための回収路（不図示）、および投入口１１６ａに投入されたキップの搬送先を放出口１１６ｂまたは回収ボックスのどちらかに切り換える、搬送路切換機構部（不図示）が設けられている。投入口１１６ａには、乗車券８や会員カード７の投入を検知する投入検知センサ１１５ａが設けられている。この投入検知センサ１１５ａが乗車券８や会員カード７の投入を検知すると、搬送部１１６が投入口１１６ａに投入された乗車券８や会員カード７を放出口１１６ｂへ搬送する。また、磁気ヘッド１１７ａは搬送路１１６ｃを搬送されている乗車券８や会員カード７に記録されている磁気データを読み取る。
【００３３】
入場用の自動改札機１１は図７に示す通行方向が駅構内に向かう方向に設置され、退場用の自動改札機１１は図７に示す通行方向が駅構内から外側に向かう方向に設置される。また、記憶部１１４には、自装置を識別するゲートコード、や自装置が入場用であるか、退場用であるかを示す情報も記憶されている。
【００３４】
なお、入場用の自動改札機１１と退場用の自動改札機１１とを通路を挟んで対向して配置することにより、１本の通路が双方向（入場方向、および退場方向）の通行に利用できる。
【００３５】
以下、この実施形態の情報配信システムの動作について説明する。図８および図９はこの実施形態の自動改札機の動作を示すフローチャートであり、図１０は情報配信装置の動作を示すフローチャートであり、図１１はこの実施形態の情報配信システムにおける情報の流れを説明する図である。
【００３６】
自動改札機１１は、投入検知センサ１１５ａにより投入口１１６ａに券が投入されたことを検出すると（ｓ１）、投入口１１６ａに投入された券を放出口１１６ｂに向けて搬送する。このとき、自動改札機１は磁気ヘッド１１７ａで放出口１１６ｂに向けて搬送している券に磁気データで記憶されている情報を読み取り（ｓ２）、所定時間（例えば、２〜３秒）以内に２枚目の券が投入口１１６ａに投入されるかどうかを待つ（ｓ３、ｓ４）。ｓ３、ｓ４の処理により、１人の利用者５が２枚の券を投入したのかどうかを判断しており、１人の利用者が投入した２枚の券を関連付けることができる。
【００３７】
自動改札機１１は、所定時間以内に２枚目の券が投入口１１６ａに投入されないと、１枚目の券が乗車券８（定期券、キップ、プリペイドカード、精算券等）であるかどうかを判断し（ｓ５）、乗車券８であれば乗車券８を投入した利用者５が通路を通行するのを許可するかどうかを判断する（ｓ６）。ｓ５、およびｓ６の判断は、ｓ２で読み取った磁気データ（乗車券情報）に基づいて行われる。
【００３８】
自動改札機１１は、ｓ６で通行を許可すると判断すると、扉１１８ａを開し（ｓ７）、通路を開放して利用者５が通路を通行するのを許可し、本処理を終了する。このとき、投入口１１６ａに投入された乗車券８は、放出口１１６ｂにおいて放出されるか、または回収ボックスに回収される。通常、入場用の自動改札機１１は投入口１１６ａに投入された乗車券８を回収ボックスに回収することなく放出口１１６ｂにおいて放出するが、退場の自動改札機１１は投入口１１６ａに投入された乗車券８が定期券やプリペイドカードであれば放出口１１６ｂにおいて放出し、キップや精算券であれば回収ボックスに回収する。
【００３９】
また、自動改札機１１は、ｓ５で本体に投入された券が乗車券８でないと判断した場合（利用者が誤って乗車券８でない券を投入した場合）、またはｓ６で通路の通行を許可しないと判断した場合、扉１１８ａを閉し（ｓ８）、通路を閉鎖して利用者５の通行を禁止し、本処理を終了する。このとき、自動改札機１１は、投入口１１６ａに投入された券を回収ボックスに回収することなく、放出口１１６ｂにおいて放出する。自動改札機１１は、投入された乗車券８が、有効期間切れ、有効区間内でない等の不適正な乗車券８であったときに、ｓ６で通路の通行を許可しないと判断する。
【００４０】
ｓ８で扉１１８ａが閉され、通路の通行が許可されなかった利用者は、放出口１１６ｂにおいて放出された券を受け取り、その後適正な乗車券８を取得する。適正な乗車券８を取得するとは、例えば券売機１３でキップを購入したり、精算機１２で運賃の精算を行い精算券を取得することである。
【００４１】
次に、図９を参照しながら自動改札機１１に２枚の券が投入されたときの動作について説明する。
【００４２】
自動改札機１１は、ｓ３で投入口に２枚目の券が投入されたことを検出すると、投入口１１６ａに投入された２枚目の券を放出口１１６ｂに向けて搬送する。このとき、自動改札機１は磁気ヘッド１１７ａで放出口１１６ｂに向けて搬送している２枚目の券に記憶されている磁気データを読み取る（ｓ９）。自動改札機１１は、本体に投入された１枚目の券が乗車券８であるかどうかを判定する（ｓ１０）。本体に投入された１枚目の券が乗車券８でないと判定すると、本体に投入された２枚目の券が乗車券８であるかどうかを判定する（ｓ１１）。
【００４３】
自動改札機１１は、投入口１１６ａに投入された２枚の券がともに乗車券８でないと判定すると、扉１１８ａを閉し（ｓ８）、通路を閉鎖して利用者５の通行を禁止し、本処理を終了する。このとき、自動改札機１１は放出口１１６ｂにおいて本体に投入された２枚の券を重ねた状態で放出する。
【００４４】
自動改札機１１は、本体に投入された１枚目、または２枚目の券が乗車券８であると判定すると、該乗車券８から読み取った乗車券８情報に基づいて、利用者５が通路を通行するのを許可するかどうかを判断する（ｓ１２）。自動改札機１１は、ｓ１２で通路の通行を許可しないと判断すると、扉１１８ａを閉し（ｓ１３）、通路を閉鎖して利用者５の通行を禁止し、本処理を終了する。このとき、自動改札機１１は、放出口１１６ｂにおいて本体に投入された２枚の券を重ねた状態で放出する。
【００４５】
一方、自動改札機１１は、ｓ１２で通路の通行を許可すると判断すると、扉１１８ａを開し（ｓ１４）、通路を開放して利用者５の通行を許可する。また、自動改札機１１は、乗車券８とは別に会員カード７が本体に投入されていたかどうかを判定する（ｓ１５）。具体的には、ｓ１０、またはｓ１１で乗車券８であると判定した券でない、他方の券が会員カード７であったかどうかを判定する。自動改札機１１は、ｓ１５で会員カード７が本体に投入されていたと判定すると、該会員カード７から読み取った識別コードを含む配信要求を情報配信装置２１へ出力し（ｓ１６）、本処理を終了する。
【００４６】
反対に、本体に会員カード７が投入されていなかったと判断すると、ｓ１６で配信要求を出力することなく本処理を終了する。このとき、自動改札機１は本体に投入された乗車券８については、上述したように放出口１１６ｂにおいて放出せずに回収ボックスに回収する場合もある。また、乗車券８でない方の券（会員カード７等）については、放出口１１６ｂにおいて放出する。
【００４７】
なお、放出口１１６ｂにおいて投入された２枚の券を放出する際には、これら２枚の券を重ねた状態で放出する。
【００４８】
このように、この実施形態の自動改札機１１は、乗車券８および会員カード７の２枚の券が連続して本体に投入され、且つ投入された乗車券８に記憶されている乗車券８情報が適正であれば、ｓ１６で情報配信装置２１へ配信要求を出力する。言い換えれば、乗車券８および会員カード７の２枚の券が連続して本体に投入されても、投入された乗車券８に記憶されている乗車券８情報が適正でなければ情報配信装置２１へ配信要求を出力しない。
【００４９】
自動改札機１１がｓ１６で情報配信装置２１へ出力する配信要求には、会員カード７から読み取った識別コード、自機を識別するゲートコード等が含まれている。自動改札機１１から出力された配信要求はホスト装置１４に入力され、ホスト装置１４がこの配信要求を情報配信装置２１に送信する。
【００５０】
なお、図８、図９から明らかなように、利用者が乗車券８と会員カード７を自動改札機１１に投入する順番については、どちらが先であってもよい。したがって、利用者は、これら２枚の券を投入する順番を特に気にしなくてもよい。
【００５１】
次に、図１０を参照しながら、配信要求を受信した情報配信装置の動作について説明する。情報配信装置２１は、受信部２１５において、自動改札機１１から出力された配信要求を受信すると（ｓ２１）、該配信要求に含まれている識別コードに基づいて利用者５を特定する（ｓ２２）。情報配信装置２１は、該配信要求に含まれている識別コードをキーにして、属性情報記憶部２１３に記憶している各利用者の属性情報を検索し、利用者５を特定する。
【００５２】
情報配信装置２１は、ｓ２２で利用者を特定すると、配信情報記憶部２１２に記憶している多数の配信情報の中から、ここで特定した利用者５について登録されている属性情報に基づいて適当な配信情報を抽出し、ここで抽出した配信情報からなる配信メールを作成する（ｓ２３）。ｓ２３では、ｓ２２で特定した利用者５の属性情報だけでなく、配信要求に含まれているゲートコードから利用者５の現在の居場所（配信要求を出力した自動改札機１１が設置されている駅）を特定し、ここで特定した利用者５の現在の居場所も用いて、配信情報記憶部２１２に記憶している多数の配信情報の中から適当な配信情報を抽出し、利用者５の居場所に応じた配信メールを作成する。
【００５３】
さらに、利用者５が駅１に入場したか、駅１から退場したかも用いて、配信メールを作成するように構成してもよい。
【００５４】
情報配信装置２１は、この利用者５の登録されているメールアドレス（携帯電話機６のメールアドレス）にｓ２３で作成した配信メールを送信し（ｓ２４）、本処理を終了する。
【００５５】
利用者５は、情報配信装置２１から送信されてきた配信メールを、図１２に示すように携帯電話機６の表示画面において確認することができ、以後の行動を決定するのに有益な情報を入手できる。
【００５６】
このように、この実施形態の情報配信システムでは、利用者５を特定する識別コードが記録されていない、キップやプリペイドカード等、の乗車券８を使用する利用者５に対しても、情報配信装置２１から利用者５の現在の居場所に応じた配信情報を配信することがき、利用者に対するサービスの向上が図れる。
【００５７】
また、利用者５が自動改札機１１に適正な乗車券８を投入しなかった場合、自動改札機１１が情報配信装置２１へ配信要求を出力しないので、該利用者５に対して短時間（数分）の間に同じ配信情報が繰り返し送信されることがない。したがって、利用者５に煩わしさを感じさせるのを防止でき、利用者５に対するサービスの向上が図れる。また、情報配信装置２１においては無駄な配信メールを利用者５に送信することがないので、負荷が抑えられる。さらに、登録者以外の者が自動改札機１１の通路を通過したときには、自動改札機１１に会員カード７が投入されることがないので、情報配信装置２１へ配信要求が出力されることがない。したがって、情報配信装置２１の負荷を一層抑えることができる。
【００５８】
なお、上記実施形態では、情報配信装置２１は配信要求の受信後に、ｓ２３で配信メールを作成するとしたが、自動改札機１１の利用者がいない夜中に予め登録者毎に配信メールを作成しておいてもよい。
【００５９】
【発明の効果】
以上のように、この発明によれば、自動改札機の通路を通行するのに使用する第１の媒体の種類に関係なく、会員登録を行った利用者については配信情報を配信することができ、利用者に対するサービスの向上が図れる。
【００６０】
また、利用者に対して短時間（数分）の間に同じ配信情報を繰り返し送信することがないので、利用者に煩わしさを感じさせることがなく。また情報配信装置の負荷を無駄に増大させるのも防止できる。
【図面の簡単な説明】
【図１】この発明の実施形態である情報配信システムを示す図である。
【図２】情報配信装置の構成を示すブロック図である。
【図３】属性情報を示す図である。
【図４】会員カード、およびキップに記録されている磁気データを説明する図である。
【図５】配信情報を説明する図である。
【図６】この発明の実施形態である自動改札機の構成を示すブロック図である。
【図７】この発明の実施形態である自動改札機の外観を示す図である。
【図８】この発明の実施形態である自動改札機の動作を示すフローチャートである。
【図９】この発明の実施形態である自動改札機の動作を示すフローチャートである。
【図１０】この発明の実施形態である情報配信装置の動作を示すフローチャートである。
【図１１】この発明の実施形態である情報配信システムにおける配信情報および、データの流れを説明する図である。
【図１２】配信メールを受信した携帯電話機における表示画面の例を示す図である。
【符号の説明】
１−駅
２−情報配信センタ
１１−自動改札機
２１−情報配信装置
【図１】
2004005242.tif 000003
【図２】
2004005242.tif 000004
【図３】
2004005242.tif 000005
【図４】
2004005242.tif 000006
【図５】
2004005242.tif 000007
【図６】
2004005242.tif 000008
【図７】
2004005242.tif 000009
【図８】
2004005242.tif 000010
【図９】
2004005242.tif 000011
【図１０】
2004005242.tif 000012
【図１１】
2004005242.tif 000013
【図１２】
2004005242.tif 000014